(57)【要約】【課題】インスツルメントを簡単に増設できる歯科用インスツルメントホルダを提供する。【解決手段】インスツルメントホルダは、複数のカセット部１０と、これを保持するためのカセット保持部２０を備えている。カセット部１０は、前面にインスツルメント保持用孔１１が開口し、底面にインスツルメント挿通用孔が開口し、後面に複数の（電極）ピン１２が固定されている。カセット保持部２０には、複数のカセット部１０に対応した（電極）ピン挿入用孔２１が設けられている。カセット部１０にインスツルメントをセットし、カセット保持部２０に挿入することにより、インスツルメントを保持できるので、カセット部１０を用意するだけで、インスツルメントを増設できる。【選択図】図１
2005198678.tif 000002
【特許請求の範囲】
【請求項１】
１本の歯科治療インスツルメントが挿脱自在に係止されるカセット部と、該カセット部の複数個を着脱自在に装着することのできるカセット保持部とを有し、前記カセット部は、前部にインスツルメントを挿通保持するインスツルメント保持孔と、底部に前記インスツルメント保持孔と連通してインスツルメントホースを挿通するインスツルメントホース挿通孔と、後部に該カセット部を前記カセット保持部に着脱自在に装着するためのピンとを有し、前記カセット保持部は、前記カセット部の複数を着脱可能に保持するカセット保持用ピン孔を有し、該カセット保持用ピン孔に前記カセット部のピンを挿脱して該カセット部を前記カセット保持部に装着可能としたことを特徴とする歯科用インスツルメントホルダ。
【請求項２】
前記カセット部は、後部に電極ピンを有するとともに当該カセット部からインスツルメントが引き出されたこと検知するセンサを有し、前記カセット保持部は、前記電極ピンが挿通される電極ピン用孔を有し、前記センサは、前記電極ピンを前記電極ピン用孔に挿通した時に前記カセット保持部側に電気的に接続されることを特徴とする請求項１に記載の歯科用インスツルメントホルダ。
【請求項３】
前記電極ピンと前記電極ピン用孔が、請求項１に記載の前記カセット部を前記カセット保持部に挿脱自在に保持するピン及びピン孔を兼ねていることを特徴とする請求項２に記載の歯科用インスツルメントホルダ。
【発明の詳細な説明】
【技術分野】
【０００１】
本発明は、歯科治療において用いられるインスツルメントを保持するための歯科用インスツルメントホルダに関するものである。
【背景技術】
【０００２】
図５は、本発明が適用される歯科用治療ユニットの一例を示す全体構成図で、該歯科用治療ユニットは、治療椅子１（安頭台，バックレスト，コンターシート，レッグレスト，フットレストから成る），ワークテーブル２，スピットン３，無影灯４，インスツルメントホルダ５，フットスイッチ６，アシスタント用インスツルメントホルダ７，インスツルメントホース８等から成り、インスツルメントホルダ５には、歯科治療において術者が使用する種々のドクター用インスツルメント９が所定数挿脱自在に収納されており、周知のように、歯科治療に当り、患者は椅子１に座り、安頭台に固定して治療を受ける。治療中、術者は治療椅子１を上下動，倒起動等させて、患者を治療しやすい姿勢にして治療を行なう。
【０００３】
上述ように歯科用治療ユニットのインスツルメントホルダ５には、歯科治療に用いられるマイクロモータ、エアータービン等種々の歯科治療用インスツルメント９が搭載されているが、このインスツルメントホルダ５には、通常、５本程度のインスツルメントが載置できるようになっている。しかし、最初からインスツルメントホルダに載置できる最大数のインスツルメントを揃えておかなければならない理由はなく、最初は、それよりも少ない本数のインスツルメントを購入し、その後、順次増設したい場合がある。このような場合、つまり、歯科用治療ユニット購入時、購入するインスツルメントの数を少なくした場合、従来、必要のない無駄なホルダ部をもったインスツルメントホルダを用意することになる。
【発明の開示】
【発明が解決しようとする課題】
【０００４】
上述のように、従来のインスツルメントホルダでは、最初からセットできるインスツルメントの本数が決められており、実際に使用するインスツルメントの数とインスツルメント搭載可能数とが一致していなかった。
【０００５】
本発明は、上述のごとき実情に鑑みてなされたもので、歯科用治療ユニット購入後、使用するインスツルメントの数に合せて、インスツルメントホルダ部を簡単に増設できる歯科用インスツルメントホルダを提供することを目的とするものである。
【課題を解決するための手段】
【０００６】
請求項１に記載の発明は、１本の歯科治療インスツルメントが挿脱自在に係止されるカセット部と、該カセット部の複数個を着脱自在に装着することのできるカセット保持部とを有し、前記カセット部は、前部にインスツルメントを挿通保持するインスツルメント保持孔と、底部に前記インスツルメント保持孔と連通してインスツルメントホースを挿通するインスツルメントホース挿通孔と、後部に該カセット部を前記カセット保持部に着脱自在に装着するためのピンとを有し、前記カセット保持部は、前記カセット部の複数を着脱可能に保持するカセット保持用ピン孔を有し、該カセット保持用ピン孔に前記カセット部のピンを挿脱して該カセット部を前記カセット保持部に装着可能としたことを特徴としたものである。
【０００７】
請求項２に記載の発明は、請求項１に記載の歯科用インスツルメントホルダにおいて、前記カセット部は、後部に電極ピンを有するとともに当該カセット部からインスツルメントが引き出されたこと検知するセンサを有し、前記カセット保持部は、前記電極ピンが挿通される電極ピン用孔を有し、前記センサは、前記電極ピンを前記電極ピン用孔に挿通した時に前記カセット保持部側に電気的に接続されることを特徴としたものである。
【０００８】
請求項３に記載の発明は、請求項２に記載の歯科用インスツルメントホルダにおいて、前記電極ピンと前記電極ピン用孔が、請求項１に記載の前記カセット部を前記カセット保持部に挿脱自在に保持するピン及びピン孔を兼ねていることを特徴としたものである。
【発明の効果】
【０００９】
本発明によれば、歯科用治療ユニット購入時、最大本数より少ない数のインスツルメントを使用するようにしても、それに対応したインスツルメントホルダ部（カセット部）をもって対応することができ、その後、インスツルメントの増設が必要となった際には、増設するインスツルメントの数に対応して、インスツルメントを保持するカセット部をカセット保持部に簡単に増設することができ、インスツルメントを保持（搭載）するカセット部の数を実際に使用するインスツルメントの数と一致させることができる。
【発明を実施するための最良の形態】
【００１０】
図１は、本発明の歯科用インスツルメントホルダの一実施例を説明するための構成図で、図中、１０はカセット部、１１はインスツルメント保持用孔、１２はピン、１３はセンサ、２０はカセット保持部、２１はピン１２を挿入するためのピン挿入用孔である。
【００１１】
カセット部１０は、前面にインスツルメント保持用孔１１が開口し、底面には該インスツルメント保持用孔１１に連通してインスツルメントホース引き出し孔１４が開口しており、該インスツルメント保持用孔１１に、図３に示すように、インスツルメント９が挿入保持され、歯科治療時、該インスツルメント保持用孔１１からインスツルメント９及びインスツルメントホース８が引き出されて使用される。カセット部１０の後面には、該カセット部１０をカセット保持部２０に取り付けるためのピン１２が複数個固定されている。また、カセット部１０には、インスツルメント９が該カセット部１０から引き出されたことを検知するためのセンサ１３が取り付けられている。
【００１２】
カセット保持部２０は、例えば、図５に参照番号５にて示したように、ワークテーブルの下部前方に設けられ、前面にはピン１２が挿入されるカセット保持用孔２１が設けられている。ピン保持用孔２１は、カセット部１０に設けられた複数のピン１２（１２1〜１２4）の配列に対応した位置（２１1〜２１4）に設けられている。この実施例では、カセット部１０に４本のピン（１２1〜１２4）が設けられているから、１つのカセット部１０を取り付けるためのカセット保持用孔２１は４つ（２１1〜２１4）設けられている。カセット保持部２０は、複数（図では５個）のカセット部１０を取り付けるようになっているから、カセット保持用孔２１は、５個のカセット部１０を取り付けることができるように、２０（５（カセット部）×４（１カセットに対する孔数））個設けられている。複数のカセット部１０のそれぞれのピン１２（１２1〜１２4）の配列位置は、同じにしておけば、いずれのカセット部１０をカセット保持部２０の５箇所のどの位置に取り付けることもできる。
なお、カセット部１０がカセット保持部２０に所定の１つの角度位置のみで（例えば、カセット部１０の上下や左右が逆にならないように）取り付けるように、カセット部１０におけるピン１２（１２1〜１２4）の配列とそれに対応するカセット保持部２０のカセット保持用孔２１（２１1〜２１4）の配列は、点対称とならないように配置したり、一部の径や断面形状を異なるようにするなど、プラグとコンセントにおいて用いられている周知の結合位置を規制する構造と同様の構造を採用することができる。
【００１３】
上述のように、本発明によると、カセット部１０に設けられたピン１２とカセット保持部２０に設けられたピン挿入用孔２１とにより、カセット部１０をカセット保持部２０の所望の位置（図示例の場合、２０1〜２０5のいずれか所望の位置）を選択して装着することができ、例えば、歯科用治療ユニット購入時等、一本のインスツルメントのみを購入使用する場合は、任意所望の取り付け位置（図３に示した例の場合、２０1の位置）に取り付け、その後、インスツルメントを増設する場合、同様のカセット部１０を残りの取り付け位置（例えば、２０２〜２０5のいずれか所望の位置）に取り付ける。
【００１４】
以上の説明から明らかなように、本発明によると、実際に使用するインスツルメントの数に対応したインスツルメント保持部（カセット部）を有するインスツルメントホルダを提供することができ、インスツルメントの増設に対応してインスツルメント保持部（カセット部）を簡単に増設することができる。
【００１５】
インスツルメントホルダには、通常、該インスツルメントホルダからインスツルメントが引き出されたことを検知し、その検知信号により図示しない制御部を作動させて該インスツルメントに対する電源、エア源、水圧源等を準備、供給することが行なわれているが、図１に示したセンサ１３は、カセット部１０に保持されるインスツルメント９が引き出された時に、該インスツルメント９が引き出されたことを検知するためのセンサである。このセンサ１３は、該センサ１３を駆動するための電源及び該センサ１３の検知信号を送信するためのリード線等を必要とするが、この時のリード線の一部として、前記ピン１２とピン挿入用孔２１を利用することにより、例えば、ピン挿入用孔２１に挿入されたピン１２に電気的に接触するように、ピン１２を導電性の電極ピンとするとともに、ピン挿入用孔２１の内面の少なくとも一部に導電部材を設けたり、ピン挿入用孔２１に挿入された電極ピン１２に接触する接点を設けるなどにより、電極ピン１２に対する電気的な接触が行なわれ、カセット部１０とカセット保持部２０とを機械的にも電気的にも連結することができるようにする。センサ１３によって、インスツルメント９がカセット部１０から引き出されたことが検知されると、その検知信号によって、当該インスツルメントに対する電源等の制御が作動し、該インスツルメント９に対する電源、エア源、水圧源等が準備、供給される。
【００１６】
更に、図２を参照して、カセット部１０について説明すると、図２（Ａ）は、図１のカセット部を横にして見た図、図２（Ｂ）は背面側から見た図で、図中、図１と同じ部分には同じ符号を付して説明を省略する。図２（Ａ）に示すように、カセット部１０の底面には、インスツルメント保持用孔１１と連通しているインスツルメントホース引き出し孔１４を有し、インスツルメント保持用孔１１に保持されるインスツルメント９の後部に接続されているインスツルメントホース８が引き出されるようになっている。インスツルメントホース８は、インスツルメントの作動に必要な、電源、高圧エア、加圧水などの流体等を供給するためのものであり、インスツルメントに応じて、電気ケーブルや流体供給チューブ，高圧気体供給チューブ等が内蔵されている。
【００１７】
図３は、インスツルメントのセット状態を説明するための説明図で、図中、図１，図２と同じ部分には同じ符号を付して説明を省略する。上述したように、インスツルメント保持用孔１１とインスツルメントホース引き出し孔１４との間にインスツルメントホース８を通して、インスツルメント保持用孔１１にインスツルメント９の後部を挿入することによって、カセット部１０にインスツルメント９を保持させる。この状態で、カセット部１０の（電極兼）ピン１２をカセット保持部２０の所定の位置の（電極兼）ピン挿入用孔２１に挿入し、カセット部１０をカセット保持部２０にセットする。図示例では、カセット保持部２０には５個のカセット部１０を保持できるように、（電極兼）ピン挿入用孔２１（２１1〜２１4）で構成されたカセット部保持領域（２０1〜２０５）が設けられている。
【００１８】
説明の便宜上、正面から見て左端側の保持領域を１番地とし、右端側を５番地とすれば、図３では、カセット部１０はカセット保持部２０の１番地（２０1）に保持されている様子を示している。しかし、カセット部１０の保持は、１番地から順に行なう必要はなく、所望の適宜の番地に保持させることができる。また、カセット保持部２０の設ける番地数は、５に限られるものではなく、それ以下でも、それ以上でもよい。
【００１９】
上述のようにして、インスツルメント９を挿入したカセット部１０を、カセット保持部２０のある番地に保持させた後、オペレータが、図示しない操作部から、その番地と、その番地に保持させたカセット部１０に挿入されているインスツルメント９の種別を入力して、その番地にその種別のインスツルメント９がセットされたことを記憶させておく。カセット部１０には、センサ１３が設けられており、術者がそのインスツルメント９を使用するために、カセット部１０から該インスツルメント９を引き出すと、インスツルメント９が引き出されたことをセンサ１３が検知して、その検知信号をカセット保持部２０側の制御部に送る。制御部はこの検知信号によりインスツルメント９のインスツルメントホース８に所定の電源、エア、水等を送り込む準備がなされる。
【００２０】
例えば、２番地にマイクロエンジンがセットされ、４番地にエアータービンがセットされている場合、２番地のインスツルメントを引き出すと、そのインスツルメントホース８はマイクロモータ用電源や冷却水を送出することが可能な状態となり、フットスイッチを操作すると、マイクロモータが回転する。このとき、４番地のインスツルメントは、準備状態となっていないから、作動することはない。２番地のインスツルメントを元の状態（カセット部に挿入した状態）に戻し、４番地のインスツルメントを引き出すと、４番地に保持されたカセット部１０のセンサがこれを検知して、そのインスツルメントホースに高圧のエアや冷却水を送出することが可能な状態となり、フットスイッチを操作すると、エアータービンが回転する。このとき、２番地のインスツルメントは、準備状態となっていないから、作動することはない。
【００２１】
次に、センサ１３について説明する。センサ１３は、カセット部１０のインスツルメント保持用孔１１からインスツルメント９が引き出されたことを検知する。インスツルメント９が引き出されているときには、インスツルメント保持用孔１１には、インスツルメント９が挿入されていないから、センサ１３は、この挿入の有無を検知できればよく、接触型のセンサや無接触型のセンサが用いられ、センサの型式に応じて、インスツルメント保持用孔１１の内壁面やカセット部１０の壁内、あるいは、外壁面側に設けられる。接触型のセンサとしては、マイクロスイッチ等を用いることができる。無接触型のセンサとしては、電磁型，容量型，光電型など、適宜の型式のものを用いることができる。
【００２２】
センサ１３の検出信号は、電極ピン１２（１２1〜１２4）及び電極ピン挿入用孔２１（２１1〜２１4）を介してカセット保持部２０側に伝達される。もちろん、カセット部１０側に電源を供給する必要がある場合は、他の電極ピンと電極ピン挿入用孔によって行なうことができる。
【００２３】
インスツルメント９に該インスツルメントの種別に応じたコードを付加しておき、このコードをセンサ１３で識別できるようにしておけば、インスツルメント９を挿入したカセット部１０をカセット保持部２０にセットすることによって、インスツルメントの種別を検出して、制御部に信号を伝送することができ、操作部からインスツルメントの種別を入力する必要がない。
【００２４】
図４は、本発明の他の実施例を説明するためのカセット部の説明図で、図中、図１と同様の部分には同じ符号を付して説明を省略する。図４において、１５は、取り付け用突起である。この実施例では、電極ピンとは別に取り付け用突起１５が設けられ、この取り付け用突起１５がカセット保持部２０側に設けられた取り付け孔に係合して、該カセット部１０をカセット保持部２０に機械的に連結する。このようにすれば、ピン１２に機械的な強度を持たせる必要はなく、ピン１２は電極ピンとしての機能のみを有すればよい。
【００２５】
すなわち、図示しないカセット保持部２０には、取り付け用突起１５に対応した突起挿入用（取り付け用）孔が形成されている。取り付け用突起１５の断面形状や電極ピン１２に対する関係位置などは、カセット部１０がカセット保持部２０に１つの角度位置のみで結合されるように、設計されている。カセット部１０のカセット保持部２０への保持にあたって、取り付け用突起１５によって機械的な保持を分担できるばかりでなく、より強固な結合が可能となる利点がある。もちろん、この取り付け用突起１５に電極を設けて、電気的な接続をも行なうようにしてもよい。
【図面の簡単な説明】
【００２６】
【図１】本発明の歯科用インスツルメントホルダの一実施例を説明するための構成図である。
【図２】カセット部の説明図である。
【図３】インスツルメントのセット状態の説明図である。
【図４】本発明の他の実施例のカセット部の説明図である。
【図５】本発明が適用される歯科用治療ユニットの一例を示す図である。
【符号の説明】
【００２７】
８…インスツルメントホース、９…インスツルメント、１０…カセット部、１１…インスツルメント保持用孔、１２（１２1〜１２4）…ピン又は電極ピン、１３…センサ、１４…インスツルメントホース引き出し孔、１５…カセット部取り付け用突起、２０…カセット保持部、２１…ピン又は電極ピン挿入用孔。
【図１】
2005198678.tif 000003
【図２】
2005198678.tif 000004
【図３】
2005198678.tif 000005
【図４】
2005198678.tif 000006
【図５】
2005198678.tif 000007